(57)【特許請求の範囲】
【請求項１】
洗い場を含む第１部分と浴槽載置部を含む第２部分とを有する床パンの第２部分が第１部分より下方に配設され、床パンの第１部分に第１排水口が形成され、床パンの第２部分に第２排水口と第３排水口とが形成され、第３排水口は床パンの第２部分の最下部に形成され、第１排水口に排水トラップが接続され、第２排水口が浴槽載置部に載置された浴槽の排水孔に水密状態で接続され、第２排水口から延びる排水管が第１排水口に接続された排水トラップに、当該排水トラップの封水面よりも下方で接続され、第３排水口から延びる排水管の床パンの第１部分の下方で延在する部分が上に凸に屈曲して管トラップが形成され、排水トラップの封水面の高さ及び管トラップの封水面の高さが、床パンの第２部分の最下部の高さと略同一に、且つ床パンの第２部分の最下部の高さを超えないように設定されることを特徴とする浴室ユニットの床パン。
【請求項２】
洗い場を含む第１部分と浴槽載置部を含む第２部分とを有する床パンの第２部分が第１部分より下方に配設され、床パンの第１部分に第１排水口が形成され、床パンの第２部分に第２排水口と第３排水口とが形成され、第３排水口は床パンの第２部分の最下部に形成され、第２排水口が浴槽載置部に載置された浴槽の排水孔に水密状態で接続され、第２排水口から延びる排水管の床パンの第１部分の下方で延在する部分が上に凸に屈曲して管トラップが形成され、第３排水口から延びる排水管の床パンの第１部分の下方で延在する部分が上に凸に屈曲して管トラップが形成され、第１排水口から延びる排水管が第２排水口から延びる排水管に形成された管トラップに、当該管トラップの封水面よりも下方で接続され、管トラップの封水面の高さが、床パンの第２部分の最下部の高さと略同一に、且つ床パンの第２部分の最下部の高さを超えないように設定されることを特徴とする浴室ユニットの床パン。
【請求項３】
第１排水口が、床パンの第１部分の浴槽長手方向の中央部に形成されることを特徴とする請求項１又は２に記載の浴室ユニットの床パン。
【請求項４】
第２排水口が浴槽載置部に載置された浴槽の排水孔に密接状態で接続されることを特徴とする請求項１乃至３の何れか１項に記載の浴室ユニットの床パン。
【発明の詳細な説明】
【０００１】
【産業上の利用分野】
本発明は浴室ユニットの床パンに関するものである。
【０００２】
【従来の技術】
浴室ユニットの床パンの要求仕様として以下が挙げられる。
▲１▼  浴室出入口の段差が低いこと。
浴室と脱衣室との間のスムーズな往来を保証するために、特に高齢者に配慮して、浴室出入口の段差を低くする必要がある。
▲２▼  浴槽の跨ぎ高さが低いこと。
浴槽への出入りを容易にするために、特に高齢者に配慮して、浴槽の跨ぎ高さを低くする必要がある。
▲３▼  排水トラップの排水管接続部の建築躯体床からの適正な高さが確保されていること。
排水トラップから延びる排水管の適正な傾斜を確保するために、排水トラップの排水管接続部の建築躯体床からの適正な高さを確保する必要がある。
【０００３】
洗い場を含む第１部分と浴槽載置部を含む第２部分とを有し、排水トラップが床パン最下部に取り付けられた従来の床パンで、且つピットの無い平坦な建築躯体床上に載置される床パンで、上記の要求仕様の幾つかを満たすものとして、以下が挙げられる。
（１）  図３に示すように、床パンの第２部分２を第１部分１の下方に配設し、且つ建築躯体床Ａからの設置高さを低くし、浴室出入口の段差Ｈ１と浴槽Ｂの跨ぎ高さＨ２とを低くして、床パン要求仕様の▲１▼と▲２▼とを満たした床パン。
（２）  図４に示すように、床パンの第２部分２を第１部分１の下方に配設し、且つ建築躯体床Ａからの設置高さを適正に確保し、浴槽Ｂの跨ぎ高さＨ２を低くし、且つ排水トラップ４の排水管接続部４ａの建築躯体床Ａからの高さＨ３を適正に確保して、床パン要求仕様の▲２▼と▲３▼とを満たした床パン。
（３）  図５に示すように、床パンの第１部分１と第２部分２との間に段差を設けず、且つ建築躯体床Ａからの設置高さを適正に確保し、浴室出入口の段差Ｈ１を低くし、且つ排水トラップ４の排水管接続部４ａの建築躯体床Ａからの高さＨ３を適正に確保して、床パン要求仕様の▲１▼と▲３▼とを満たした床パン。
【０００４】
【発明が解決しようとする課題】
図３に示す床パンには、排水トラップ４の排水管接続部４ａの建築躯体床Ａからの高さＨ３が低くなり、床パン要求仕様の▲３▼を満たさないという問題がある。図４に示す床パンには、床パンの第１部分１の高さが増加して浴室出入口の段差Ｈ１が高くなり、床パン要求仕様の▲１▼を満たさないという問題がある。
図５に示す床パンには、浴槽Ｂの跨ぎ高さＨ２が大になり、床パン要求仕様の▲２▼を満たさないという問題がある。
本発明は、上記問題に鑑みてなされたものであり、洗い場を含む第１部分と浴槽載置部を含む第２部分とを有し、ピットの無い平坦な建築躯体床上に載置される床パンで、上記の床パン要求仕様の全てを満たす浴室ユニットの床パンを提供することを目的とする。
【０００５】
【課題を解決するための手段】
上記課題を解決するために、本発明においては、洗い場を含む第１部分と浴槽載置部を含む第２部分とを有する床パンの第２部分が第１部分より下方に配設され、床パンの第１部分に第１排水口が形成され、床パンの第２部分に第２排水口と第３排水口とが形成され、第３排水口は床パンの第２部分の最下部に形成され、第１排水口に排水トラップが接続され、第２排水口が浴槽載置部に載置された浴槽の排水孔に水密状態で接続され、第２排水口から延びる排水管が第１排水口に接続された排水トラップに、当該排水トラップの封水面よりも下方で接続され、第３排水口から延びる排水管の床パンの第１部分の下方で延在する部分が上に凸に屈曲して管トラップが形成され、排水トラップの封水面の高さ及び管トラップの封水面の高さが、床パンの第２部分の最下部の高さと略同一に、且つ床パンの第２部分の最下部の高さを超えないように設定されることを特徴とする浴室ユニットの床パンを提供する。
【０００６】
本発明に係る浴室ユニットの床パンにおいては、浴槽載置部を含む第２部分を洗い場部を含む第１部分より下方に配設することにより、浴槽の跨ぎ高さを低くする。
【０００７】
本発明に係る浴室ユニットの床パンにおいては、排水トラップを床パンの第１部分、すなわち床パンの最下部以外の部位に取り付け、床パンの第２部分から延びる排水管の床パンの第１部分の下方で延在する部分を上に凸に屈曲させて管トラップを形成して、排水トラップと管トラップとを含む床パンの厚さを薄くすることにより、排水トラップと管トラップの排水管接続部の建築躯体床からの適正な高さを確保しつつ、第１部分の建築躯体床からの高さの増加を抑制して、浴室出入口の段差を低くすることを可能にする。
【０００８】
本発明に係る浴室ユニットの床パンにおいては、第２排水口を浴槽の排水孔に水密状態で接続することにより、浴槽の湯水を第２部分に流すことなく直接第２排水口から排水する。第１部分に第１排水口を形成し、第２部分の最下部に第３排水口を形成することにより、第１部分に大量の湯水が排出された場合、該排水の一部を第１排水口を介して排水し、残余の部分を第１部分より低い第２部分へ流入させた後第３排水口を介して排水する。本発明に係る浴室ユニットの床パンにおいては、浴槽の湯水を第２部分に流すことなく直接第２排水口から排水し、第１部分に大量の湯水が排出された場合に、第１部分より低い第２部分を遊水池として機能させて第１部分から速やかに排水することにより、浴室出入口を介して床パンから脱衣室へ漏水する事態の発生を防止する。
【０００９】
本発明に係る浴室ユニットの床パンにおいては、第１排水口、第３排水口にそれぞれ排水トラップを設け、処理排水量を増大させて、床パン上に排水が溢れる事態の発生を防止し、浴室出入口を介して床パンから隣接する脱衣室へ漏水する事態の発生を防止する。
【００１０】
本発明においては、排水トラップの封水面の高さ及び管トラップの封水面の高さが、床パンの第２部分の最下部の高さと略同一に、且つ床パンの第２部分の最下部の高さを超えないように設定される。
排水トラップの封水面の高さ及び管トラップの封水面の高さを、床パンの第２部分の最下部の高さと略同一として、排水トラップと管トラップとを含む床パンの厚さを薄くすることにより、第１部分の建築躯体床からの高さを低くして、浴室出入口の段差を低くすることを可能にする。第３排水口から延びる排水管に形成された管トラップの封水面の高さを、床パンの第２部分の最下部の高さを超えないようにして、排水が第３排水口から床パンの第２部分ヘ逆流するのを防止する。
【００１１】
本発明においては、洗い場を含む第１部分と浴槽載置部を含む第２部分とを有する床パンの第２部分が第１部分より下方に配設され、床パンの第１部分に第１排水口が形成され、床パンの第２部分に第２排水口と第３排水口とが形成され、第３排水口は床パンの第２部分の最下部に形成され、第２排水口が浴槽載置部に載置された浴槽の排水孔に水密状態で接続され、第２排水口から延びる排水管の床パンの第１部分の下方で延在する部分が上に凸に屈曲して管トラップが形成され、第３排水口から延びる排水管の床パンの第１部分の下方で延在する部分が上に凸に屈曲して管トラップが形成され、第１排水口から延びる排水管が第２排水口から延びる排水管に形成された管トラップに、当該管トラップの封水面よりも下方で接続され、管トラップの封水面の高さが、床パンの第２部分の最下部の高さと略同一に、且つ床パンの第２部分の最下部の高さを超えないように設定されることを特徴とする浴室ユニットの床パンを提供する。
【００１２】
本発明に係る浴室ユニットの床パンにおいては、浴槽載置部を含む第２部分を洗い場部を含む第１部分より下方に配設することにより、浴槽の跨ぎ高さを低くする。
【００１３】
本発明に係る浴室ユニットの床パンにおいては、床パンの第２部分から延びる２本の排水管の床パンの第１部分の下方で延在する部分を上に凸に屈曲させて管トラップを形成して、管トラップを含む床パンの厚さを薄くすることにより、管トラップの排水管接続部の建築躯体床からの適正な高さを確保しつつ、第１部分の建築躯体床からの高さの増加を抑制して、浴室出入口の段差を低くすることを可能にする。
【００１４】
本発明に係る浴室ユニットの床パンにおいては、第２排水口を浴槽の排水孔に水密状態で接続することにより、浴槽の湯水を第２部分に流すことなく直接第２排水口から排水する。第１部分に第１排水口を形成し、第２部分の最下部に第３排水口を形成することにより、第１部分に大量の湯水が排出された場合、該排水の一部を第１排水口を介して排水し、残余の部分を第１部分より低い第２部分へ流入させた後第３排水口を介して排水する。本発明に係る浴室ユニットの床パンにおいては、浴槽の湯水を第２部分に流すことなく直接第２排水口から排水し、第１部分に大量の湯水が排出された場合に、第１部分より低い第２部分を遊水池として機能させて第１部分から速やかに排水することにより、浴室出入口を介して床パンから脱衣室へ漏水する事態の発生を防止する。
【００１５】
本発明に係る浴室ユニットの床パンにおいては、第１排水口、第３排水口にそれぞれ排水トラップを設け、処理排水量を増大させて、床パン上に排水が溢れる事態の発生を防止し、浴室出入口を介して床パンから隣接する脱衣室へ漏水する事態の発生を防止する。
【００１６】
本発明においては、第２排水口から延びる排水管に形成された管トラップの封水面の高さ及び第３排水口から延びる排水管に形成された管トラップの封水面の高さが、床パンの第２部分の最下部の高さと略同一に、且つ床パンの第２部分の最下部の高さを超えないように設定される。
第２排水口から延びる排水管に形成された管トラップの封水面の高さ及び第３排水口から延びる排水管に形成された管トラップの封水面の高さを、床パンの第２部分の最下部の高さと略同一として、管トラップを含む床パンの厚さを薄くすることにより、第１部分の建築躯体床からの高さを低くして、浴室出入口の段差を低くすることを可能にする。第３排水口から延びる排水管の管トラップの封水面の高さを、床パンの第２部分の最下部の高さを超えないようにして、排水が第３排水口から床パンの第２部分ヘ逆流するのを防止する。
【００１７】
本発明の好ましい態様においては、第１排水口は、床パンの第１部分の浴槽長手方向の中央部に形成される。
第１排水口を、床パンの第１部分の浴槽長手方向の中央部に形成し、傾斜落差を小さくして、第１部分の厚さを薄くすることにより、第１部分の建築躯体床からの高さを低くして浴室出入口の段差を低くすることを可能にする。
【００１８】
本発明の好ましい態様においては、第２排水口は、床パンの第２部分の浴槽載置部に載置された浴槽の排水孔に密接状態で接続される。
第２排水口を、床パンの第２部分の浴槽載置部に載置された浴槽の排水孔に密接状態で接続することにより、第２排水口を浴槽の排水孔に水密状態で接続し、浴槽排水が第２部分に溢れ出る事態の発生を防止する。
【００１９】
【実施例】
本発明の第１実施例に係る浴室の床パンを図１に基づいて説明する。
図１に示すように、本実施例に係る浴室の床パン１００は、洗い場を含む第１部分１と、浴槽載置部を含む第２部分２とを有している。第２部分２は第１部分１より下方に配設されている。第１部分１の第２部分２との境界部に隆起した土手部１ａが形成されている。土手部１ａの頂部は、第１部分１の周縁の立ち上がり部である巾木１ｂの頂部よりも下方に位置決めされている。第１部分１は浴室出入口側の端部から土手部１ａヘ向かって下方ヘ傾斜している。
床パン１００はピットの無い平坦な建築躯体床Ａ上に載置されている。
【００２０】
第１部分１の土手部１ａに隣接する部分に第１排水口３が形成されている。第１排水口３に逆ベルタイプの排水トラップ４が接続されている。逆ベルタイプの排水トラップ４の排水管接続部４ａに排水管５が接続されている。排水管５は下方へ傾斜しつつ側方ヘ延びている。
第２部分２の浴槽載置部に第２排水口６が形成されている。第２排水口６から排水管７が延びている。排水管７は逆ベルタイプの排水トラップ４に接続されている。
第２部分２の最下部に第３排水口９が形成されている。第３排水口９から排水管１０が延びている。排水管１０の第１部分１の下方で延在する部分１０ａが上に凸に屈曲し、排水管１０の屈曲部１０ａと屈曲部１０ａよりも上流の部分とにより、管トラップ１１が形成されている。屈曲部１０ａの下流端、すなわち管トラップ１１の排水管接続部１１ａから、下方へ傾斜した排水管１０の延長部が側方ヘ延びている。
逆ベルタイプの排水トラップ４、管トラップ１１の封水面の高さｈは、第２部分２の最下部の高さと略同一になるように、且つ第２部分２の最下部の高さを超えないように設定されている。
【００２１】
第２排水口６の直上に浴槽２００の排水孔２１が位置決めされている。第２排水口６は、第２部分２と浴槽２００との間に配設され、浴槽２００の重さを受けて浴槽２００の底面と第２部分２の上面とに圧接した環状パッキン１２を介して、浴槽２００の排水孔２１に密接状態で接続されている。
【００２２】
上記構成を有する本実施例に係る室ユニットの床パン１００においては、浴槽載置部を含む第２部分２を洗い場部を含む第１部分１より下方に配設することにより、浴槽の跨ぎ高さＨ２を低くしている。
【００２３】
本実施例に係る室ユニットの床パン１００においては、逆ベルタイプの排水トラップ４を床パンの第１部分１、すなわち床パンの最下部以外の部位に取り付け、床パンの第２部分２から延びる排水管１０の床パンの第１部分１の下方で延在する部分１０ａを上に凸に屈曲させて管トラップ１１を形成して、逆ベルタイプの排水トラップ４と管トラップ１１とを含む床パンの厚さを薄くすることにより、逆ベルタイプの排水トラップ４の排水管接続部４ａの建築躯体床Ａからの高さＨ３と、管トラップ１１の排水管接続部１１ａの建築躯体床Ａからの高さＨ５とを適正に確保しつつ、第１部分１の建築躯体床Ａからの高さを低くして浴室出入口の段差Ｈ１を低くすることを可能にしている。
【００２４】
本実施例に係る浴室ユニットの床パン１００においては、第２排水口６を環状パッキン１２を介して浴槽２００の排水孔２１に密接状態で、ひいては水密状態で接続することにより、浴槽２００の湯水を第２部分２に流すことなく直接第２排水口６から排水する。第１部分１に第１排水口３を形成し、第２部分の最下部に第３排水口９を形成することにより、第１部分１に大量の湯水が排出された場合、該湯水の一部を第１排水口３を介して排水し、残余の湯水を土手部１ａを乗り越えさせて第１部分１より低い第２部分２へ流入させた後、第３排水口９を介して排水する。本実施例に係る浴室ユニットの床パン１００においては、浴槽２００の湯水を第２部分２に流すことなく直接第２排水口６から排水し、第１部分１に大量の湯水が排出された場合に、第１部分１より低い第２部分２を遊水池として機能させて第１部分１から速やかに排水することにより、浴室出入口を介して床パン１００から隣接する脱衣室へ漏水する事態の発生を防止している。
【００２５】
本実施例に係る浴室ユニットの床パン１００においては、第１排水口３に逆ベルタイプの排水トラップ４を設け、第３排水口９に管トラップ１１を設け、処理排水量を増大させて、床パン１００上に排水が溢れる事態の発生を防止し、浴室出入口を介して床パン１００から隣接する脱衣室へ漏水する事態の発生を防止する。
【００２６】
本実施例に係る浴室ユニットの床パン１００においては、逆ベルタイプの排水トラップ４、管トラップ１１の封水面の高さｈを、床パンの第２部分２の最下部の高さと略同一として、逆ベルタイプの排水トラップ４と管トラップ１１とを含む床パンの厚さを薄くすることにより、第１部分１の建築躯体床Ａからの高さを低くして浴室出入口の段差Ｈ１を低くすることを可能にしている。管トラップ１１の封水面の高さｈを、床パンの第２部分の最下部２の高さを超えないようにして、排水が排水口９から床パンの第２部分２ヘ逆流するのを防止している。
【００２７】
本発明の第２実施例に係る浴室の床パンを図２に基づいて説明する。
図２から分かるように、本実施例においては、第２排水口６から延びる排水管７の床パンの第１部分１の下方で延在する部分７ａが上に凸に屈曲して、排水管７の屈曲部７ａと屈曲部７ａよりも上流の部分とにより、管トラップ８が形成されている。屈曲部７ａの下流端、すなわち管トラップ８の排水管接続部８ａから、下方へ傾斜した排水管７の延長部が側方ヘ延びている。管トラップ８の封水面の高さｈは、第２部分２の最下部の高さと略同一になるように、且つ第２部分２の最下部の高さを超えないように設定されている。第１排水口３には逆ベルタイプの排水トラップは接続されていない。第１排水口３から延びる排水管１３が管トラップ８に接続されている。
上記を除き、第２実施例に係る浴室の床パンの構造は、第１実施例に係る浴室の床パンの構造と同様である。
本実施例に係る浴室の床パンにおいても、第１実施例に係る浴室の床パンの効果と同様の効果が得られる。
【００２８】
上記実施例において、第１排水口３は、床パンの第１部分１の浴槽長手方向の中央部に形成するのが望ましい。床パンの第１部分１には第１排水口３へ向かう傾斜が形成されるので、第１排水口３を、床パンの第１部分１の浴槽長手方向の端部に形成せず中央部に形成することにより、傾斜落差を小さくして、第１部分１の厚さを薄くすることができ、ひいては第１部分１の建築躯体床Ａからの高さを低くして浴室出入口の段差Ｈ１を低くすることが可能となる。
【００２９】
上記実施例において、第２排水口６を、床パンの第２部分２上に載置した排水管を介して、浴槽２００の排水孔２１に水密状態で接続しても良い。
【００３０】
上記実施例において、床パンの第１部分１と第２部分２とは一体形成されても良く、別体で形成され浴室に載置される際に連結されても良い。
上記実施例において、逆ベルタイプの排水トラップ４は、床パン１００とは別体で形成されて第１部分１に接続されても良く、第１部分１と一体形成されても良い。
上記実施例において、逆ベルタイプの排水トラップ４の一部が第１部分１の土手部１ａに掛かっても良い。
第１実施例において、床パンの第１部分１に設ける排水トラップを逆ベルタイプの排水トラップ４としたが、床パンの第１部分１に設ける排水トラップは逆ベルタイプに限定されない。管トラップでも良く、或いは他の形式のトラップでも良い。
土手部１ａの一部を切り欠いて、床パンの第１部分１に大量の湯水が排出された場合に、第２部分２へ流れ込み易くなるようにしても良い。
【００３１】
【発明の効果】
本発明に係る浴室ユニットの床パンにおいては、浴槽載置部を含む第２部分を洗い場部を含む第１部分より下方に配設することにより、浴槽の跨ぎ高さを低くしている。
【００３２】
本発明に係る浴室ユニットの床パンにおいては、排水トラップを床パンの第１部分、すなわち床パンの最下部以外の部位に取り付け、床パンの第２部分から延びる排水管の床パンの第１部分の下方で延在する部分を上に凸に屈曲させて管トラップを形成して、排水トラップと管トラップとを含む床パンの厚さを薄くすることにより、排水トラップと管トラップの排水管接続部の建築躯体床からの適正な高さを確保しつつ、第１部分の建築躯体床からの高さの増加を抑制して、浴室出入口の段差を低くすることを可能にしている。
【００３３】
本発明に係る浴室ユニットの床パンにおいては、浴槽の湯水を第２部分に流すことなく直接第２排水口から排水し、第１部分に大量の湯水が排出された場合に、第１部分より低い第２部分を遊水池として機能させて第１部分から速やかに排水することにより、浴室出入口を介して床パンから脱衣室へ漏水する事態の発生を防止している。
【００３４】
本発明に係る浴室ユニットの床パンにおいては、第１排水口、第３排水口にそれぞれ排水トラップを設け、処理排水量を増大させて、床パン上に排水が溢れる事態の発生を防止し、浴室出入口を介して床パンから隣接する脱衣室へ漏水する事態の発生を防止している。
【００３５】
本発明に係る浴室ユニットの床パンにおいては、排水トラップの封水面の高さ及び管トラップの封水面の高さを、床パンの第２部分の最下部の高さと略同一として、排水トラップと管トラップとを含む床パンの厚さを薄くすることにより、第１部分の建築躯体床からの高さを低くして、浴室出入口の段差を低くすることを可能にしている。
本発明に係る浴室ユニットの床パンにおいては、第３排水口から延びる排水管に形成された管トラップの封水面の高さを、床パンの第２部分の最下部の高さを超えないように設定して、排水が第３排水口から床パンの第２部分ヘ逆流するのを防止している。
【００３６】
本発明に係る浴室ユニットの床パンにおいては、床パンの第２部分から延びる２本の排水管の床パンの第１部分の下方で延在する部分を上に凸に屈曲させて管トラップを形成して、管トラップを含む床パンの厚さを薄くすることにより、管トラップの排水管接続部の建築躯体床からの適正な高さを確保しつつ、第１部分の建築躯体床からの高さの増加を抑制して、浴室出入口の段差を低くすることを可能にしている。
【００３７】
本発明に係る浴室ユニットの床パンにおいては、床パンの第２部分から延びる２本の排水管に形成した管トラップの封水面の高さを、床パンの第２部分の最下部の高さと略同一として、管トラップを含む床パンの厚さを薄くすることにより、第１部分の建築躯体床からの高さを低くして浴室出入口の段差を低くすることを可能にしている。
本発明に係る浴室ユニットの床パンにおいては、第３排水口から延びる排水管に形成した管トラップの封水面の高さを、床パンの第２部分の最下部の高さを超えないようにして、排水が第３排水口から床パンの第２部分ヘ逆流するのを防止している。
【００３８】
本発明に係る浴室ユニットの床パンにおいては、第１排水口を、床パンの第１部分の浴槽長手方向の中央部に形成し、傾斜落差を小さくして、第１部分の厚さを薄くすることにより、第１部分の建築躯体床からの高さを低くして浴室出入口の段差を低くすることを可能にしている。
【００３９】
本発明に係る浴室ユニットの床パンにおいては、第２排水口を、床パンの第２部分の浴槽載置部に載置された浴槽の排水孔に密接状態で接続することにより、第２排水口を浴槽の排水孔に水密状態で接続し、浴槽排水が第２部分に溢れ出る事態の発生を防止している。
【図面の簡単な説明】
【図１】本発明の第１実施例に係る浴室ユニットの床パンの断面図である。（ａ）は床パンの第２部分の最下部から延びる排水管に形成された管トラップの図示を省略した図であり、（ｂ）は逆ベルタイプの排水トラップの図示と浴槽の排水孔に連通する排水管の図示とを省略した図である。
【図２】本発明の第２実施例に係る浴室ユニットの床パンの断面図である。
【図３】従来の浴室ユニット床パンの断面図である。
【図４】従来の浴室ユニット床パンの断面図である。
【図５】従来の浴室ユニット床パンの断面図である。
【符号の説明】
１  床パンの第１部分
２  床パンの第２部分
３  第１排水口
４  逆ベルタイプの排水トラップ
４ａ  排水管接続部
５  排水管
６  第２排水口
７  排水管
８  管トラップ
８ａ  排水管接続部
９  第３排水口
１０  排水管
１１  管トラップ
１１ａ  排水管接続部
１２  環状パッキン
Ｈ１  浴室出入口の段差
Ｈ２  浴槽の跨ぎ高さ
Ｈ３、Ｈ４、Ｈ５  排水トラップの排水管接続部の建築躯体床からの高さ
ｈ  排水トラップの封水面の高さ
１００  浴室ユニットの床パン
２００  浴槽
Ａ  建築躯体床
【図１】
0003588790.tif 000002
【図２】
0003588790.tif 000003
【図３】
0003588790.tif 000004
【図４】
0003588790.tif 000005
【図５】
0003588790.tif 000006